(57)【要約】      （修正有）【課題】構造が簡略で組み立てやすくしかも安価で故障トラブルが少なく、また、散光筒部を伸縮可能にすることで携帯にも便利な誘導棒を提供する。【解決手段】電池を収納可能な把持部１を備えた機能ボディＡとこの機能ボディＡに脱着可能な散光筒部Ｂとからなり、機能ボディＡは、先端と後端とを有する筒体であり、その先端内には散光筒部Ｂ内に投光可能な電球やＬＥＤなどの投光手段２１が設けられるとともに、投光手段２１の他に電源スイッチ６とサイレンやメガホンなどの音発生手段が設けられ、散光筒部Ｂは、機能ボディＡに対し伸縮可能になっており、機能ボディＡの先端に接続されて投光手段２１からの光を受けて外部に拡散可能に構成されている。【選択図】図３
0003211997.tif 000002
【実用新案登録請求の範囲】
【請求項１】
電池を収納可能な把持部を備えた機能ボディとこの機能ボディに脱着可能な散光筒部とからなり、機能ボディは、先端と後端とを有する筒体であり、その先端内には散光筒部内に投光可能な電球やＬＥＤなどの投光手段が設けられるとともに、機能ボディには、投光手段の他に電源スイッチとサイレンやメガホンなどの音発生手段が設けられ、散光筒部は、機能ボディの先端に接続されて前記投光手段からの光を受けて外部に拡散可能に構成されている誘導棒。
【請求項２】
請求項１に記載のものにおいて、散光筒部は数段階に伸縮可能になっている誘導棒。
【請求項３】
電池を収納可能な把持部を備えた機能ボディとこの機能ボディに脱着可能な散光筒部とからなり、機能ボディは、先端と後端とを有する筒体であり、その先端内あるいは散光筒部内には、電球やＬＥＤなどの投光手段が設けられるとともに、散光筒部は、機能ボディの外周に添ってスライドして該ボディ外周に被覆重合した縮小状態になる一方機能ボディの外周に添って先側にスライドして該ボディ外周の先端に基部が位置して機能ボディから先側に伸びた状態になるように構成されている誘導棒。
【請求項４】
請求項３に記載のものにおいて、散光筒部は複数段に伸縮可能とされている誘導棒。
【請求項５】
電池を収納可能な把持部を備えた機能ボディとこの機能ボディに脱着可能な散光筒部とからなり、機能ボディは、先端と後端とを有する筒体であり、その先端内あるいは散光筒部内には、電球やＬＥＤなどの投光手段が設けられるとともに、散光筒部は蛇腹式に伸縮可能とされている誘導棒。
【考案の詳細な説明】
【技術分野】
【０００１】  この考案は、交通取り締まり現場や道路工事現場などにおける誘導指示などのために使用する誘導棒に関する。
【背景技術】
【０００２】  交通信号灯や合図灯などとも呼ばれてきた誘導棒は、従来から、夜間における交通取り締まりや道路工事現場での誘導指示などの目的で使用されてきた。この誘導棒は、内部に電池を収納可能であるとともに把持も可能な円筒状の把手を備え、その把手の先端に、外部に向けて赤色・青色などを光拡散させる散光筒部を取外し可能に連結装備して１本ものの誘導棒としてなるものが一般的である。そうした誘導棒の一つとして特許文献１に開示されたものがある。
【先行技術文献】
【特許文献】
【０００３】
【特許文献１】実用新案登録第３０２５０８１号公報
【考案の概要】
【考案が解決しようとする課題】
【０００４】  特許文献１に開示された誘導棒（交通信号灯）は、円筒状の把手とここでいう散光筒部からなり、散光筒部は、その内側に有色反射管をまた外側に外部円筒を備えた二重管でなり把手側のコネクタに接続されるＬＥＤ付き発光信号体を中心に備えて把手の先端内に差し込まれるもので、把手に設けたライトスイッチを一方向に操作すると、把手内に備えた電池である電源が発光信号体に印加されてそれに接続された複数のＬＥＤが点灯あるいは点滅される一方、該スイッチを異なる方向に操作すると、散光筒部先端の電球が点灯するようになっている。電球の点灯により、違反車両の車両番号の表示確認とか運転者の所持する運転免許証などの記載確認などＬＥＤでは暗くて確認しにくい確認が行える。
しかし、この方式の誘導棒は、把手自体にＬＥＤ付き発光信号体をもつものでなく散光筒部側に長く伸びた形で該発光信号体を備え配電も行う形になっているため、発光のための構造が複雑化し組立てなど製作全体も手間が掛かることから安く提供するにも一定の限界があった。
また、この誘導棒には、証拠確認をするために使用されるように電球が装備されているが、この電球は発光信号体とは別に散光筒部側に取り付けられしかも散光筒部の先端に配置されていたため、配電のための構造が一層複雑化する原因にもなり、しかも電球が機械的にも電気的にも損なわれやすい散光筒部の先端個所に設けられていることもあって故障トラブルが発生しやすいなど耐用性に欠けるという問題もあった。
一方、誘導棒は把手とそれに差し込まれた散光筒部とを備え、把手からは散光筒部内を通るようにＬＥＤ付き発光信号体が設けられたものが一般的であるが、従来のものは、散光筒部が単一本もので把手に差し込み固定されたタイプのものであったので、そのままでは長いものであるから携帯するのに困っていた。【０００５】  この考案は、上記問題を解決しようとするものであり、構造が簡略で組み立てやすくしかも安価で故障トラブルの少ない多機能型の誘導棒を提供することを目的とし、また、散光筒部を把持可能な機能ボディに対し伸縮可能にすることで短くなって携帯するにも至便な誘導棒を提供することを目的とする。
【課題を解決するための手段】
【０００６】  この考案は上記目的を達成するため、請求項１に記載の考案は、電池を収納可能な把持部を備えた機能ボディとこの機能ボディに脱着可能な散光筒部とからなり、機能ボディは、先端と後端とを有する筒体であり、その先端内には散光筒部内に投光可能な電球やＬＥＤなどの投光手段が設けられるとともに、機能ボディには、投光手段の他に電源スイッチとサイレンやメガホンなどの音発生手段が設けられ、散光筒部は、機能ボディの先端に接続されて前記投光手段からの光を受けて外部に拡散可能に構成されている。
請求項２に記載の考案は、請求項１に記載のものにおいて、散光筒部は数段階に伸縮可能になっている。
請求項３に記載の考案は、電池を収納可能な把持部を備えた機能ボディとこの機能ボディに脱着可能な散光筒部とからなり、機能ボディは、先端と後端とを有する筒体であり、その先端内あるいは散光筒部内には、電球やＬＥＤなどの投光手段が設けられるとともに、散光筒部は、機能ボディの外周に添ってスライドして該ボディ外周に被覆重合した縮小状態になる一方機能ボディの外周に添って先側にスライドして該ボディ外周の先端に基部が位置して機能ボディから先側に伸びた状態になるように構成されている。
請求項４に記載の考案は、請求項３に記載のものにおいて、散光筒部は複数段に伸縮可能とされている。
請求項５に記載の考案は、電池を収納可能な把持部を備えた機能ボディとこの機能ボディに脱着可能な散光筒部とからなり、機能ボディは、先端と後端とを有する筒体であり、その先端内あるいは散光筒部内には、電球やＬＥＤなどの投光手段が設けられるとともに、散光筒部は蛇腹式に伸縮可能とされている。
【考案の効果】
【０００７】  上述したように請求項１に記載の考案は、電池を収納可能な把持部を備えた機能ボディとこの機能ボディに脱着可能な散光筒部とからなり、機能ボディは、先端と後端とを有する筒体であり、その先端内には散光筒部内に投光可能な電球やＬＥＤなどの投光手段が設けられるとともに、機能ボディには、投光手段の他に電源スイッチとサイレンやメガホンなどの音発生手段が設けられ、散光筒部は、機能ボディの先端に接続されて前記投光手段からの光を受けて外部に拡散可能に構成されているので、構造が簡略で組み立てやすくしかも安価で故障トラブルの少ない多機能型の誘導棒を提供することができ、また、散光筒部を機能ボディに対し伸縮可能にすることで携帯にも便利になるようにした誘導棒を提供することができる。
【図面の簡単な説明】
【０００８】
【図１】この考案の誘導棒の要部である機能ボディについての一実施形態を示す正面図。
【図２】図１のＸ方向矢視図。
【図３】機能ボディに散光筒部を組付け一体化して誘導棒とした様子を示す正面図。
【図４】図３のＹ部拡大断面図。
【図５】図３のＺ部拡大断面図。
【図６】機能ボディと散光筒部とを分解した状態を示す正面図。
【図７】散光筒部の他の実施形態を示す正面図。
【図８】誘導棒の他の実施形態を示す正面図。
【図９】図８の誘導棒の散光筒部を縮小した状態で示す正面図。
【図１０】誘導棒の他の実施形態を示す正面図。
【図１１】図１０の誘導棒の散光筒部を縮小した状態で示す正面図。
【図１２】誘導棒の他の実施形態を示す正面図。
【図１３】図１２の誘導棒の散光筒部を縮小した状態で示す正面図。
【図１４】コイルバネ式発光手段を示す正面図。
【図１５】誘導棒の他の実施形態を示す正面図。
【図１６】図１５の誘導棒の側面図。
【図１７】誘導棒の他の実施形態を示す正面図。
【考案を実施するための形態】
【０００９】  以下、この考案である誘導棒の一実施形態を図１ないし図６に基づいて説明する。
これらの図に示す誘導棒は、機能ボディＡと散光筒部Ｂからなっている。機能ボディＡは、図１の左側である後端ａ２が閉止した四角筒状をなし右端が少し太く形成された把持部１を備え、その右側は同じく把持部１の右端と同じく太い四角筒状になったキャップ２とされている。把持部１の左側は後端でキャップ２の右端は機能ボディＡの先端ａ１とされる。機能ボディＡはそれ単独で以下のような複合的機能を発揮する１つの機能ユニットとなっている。
把持部１は電池ケース３を備え、その内部には二次電池である充電式電池を収納可能としてある。充電式電池の出し入れを行う開口と閉止蓋とは図示省略してある。また、把持部１内には、集積回路基板４を内装してある。
【００１０】  把持部１の後端下側には、電源スイッチ６が設けられて前記集積回路基盤４と接続されており、また把持部１の先端上１列位置にはライトスイッチ７が、また２列位置にはメガホンスイッチ８が、３列位置にはサイレンスイッチ９が、さらに４列位置にはメガホン・サイレンの音量調整スライダ１０が周方向に一定並列式をなして配備されている。
１２は拡声コーンで、基部１２ａが円形ドーナツ形で複数の孔をもつ網状面とされ、その前側本体部分は円錐コーンで前向きに拡がった形になっていて、先端の拡がった端部はキャップ２の先端ａ１に密着固定されている。拡声コーン１２の前後中間部分は、模式図である図４に示すように、段差部１３になっており、この段差部１３の前側周部には複数（３個所）のつなぎ部１４を介して円弧切溝状をなすロック溝１５が形成されている。前記網状面は、複数の丸孔などに代えて構成することができる。
【００１１】  拡声コーン１２の基部１２ａ外周後側には、メガホンやサイレン、録音再生音など用の警音スピーカー（音発生手段）１７が設けられて網状面を通じて前向きに音が発しさらにコーン１２により拡大化されるようになっている。
１９は先細り状の球受筒で、基部１２ａに取り付けられて前方に突出しており、この球受筒１９の先端には反射殻２０を介して投光手段である電球２１が取り付けられている。この電球２１はライトスイッチ７でＯＮ・ＯＦＦ操作されるがＬＥＤであってもよい。ＬＥＤの場合は単一個であっても複数個であってもよく、複数個の場合は黄色・赤色・青色などとして配備しライトスイッチ７もそれに応じた発光色変換可能型にすることができる。こうした投光手段２１は、図１のような機能ボディＡを単独で使用するような場合、例えば、違反等対象車両の車両番号の確認とか運転者の所持する運転免許証や車検証などの証拠確認を行うことができる。その場合、従来のように投光手段２１は誘導棒の先端に設けられたものでなく把持部１をもつ短いユニットである機能ボディＡの先端からの発光として照射機能するものであるので、対象を照射確認する作業が至便かつ確実に行なわれやすくなるものである。
【００１２】  さらに、機能ボディＡの後端ａ２の面には、マイク受音部２２が設けられ、マイクスイッチ８をＯＮした状態でそこに指令音を発することにより警音スピーカー１７を通じてスピーカー音が拡大して発生するようになっている。２３はストラップ装具である。尚、前記録音再生音の発生手段も把持部１に内蔵されて外部の録音・再生ボタン（図示省略）の操作により、例えば、地震被害を受けてこの機能ボディＡを持ち合わせていて瓦礫下に埋もれてしまったような場合に、力尽きることも想定してそうなる以前に前以って「助けて！」とか「ここです！」とかの救助メッセージを録音しておき、時間が経過して声を出せなくなるような場合に再生メッセージをリピートで発生させることにより外部にそれが聞こえて救出につながるようにする状況下で利用されるものである。この録音・再生機能、メガホン、サイレン機能を備えた機能ボディＡは防災機器として有用である。尚、２４は折畳式手回し充電レバーである。また、図１の３５は充電池充電コネクタ受口、３６は携帯充電コネクタ受口であり、内蔵した充電池を家庭電源などから充電する場合は充電用のコネクタをこの充電池充電コネクタ３５に接続し、さらに充電された充電池から携帯に充電をする場合にはそのためのコネクタを携帯充電コネクタ受口３６に接続して行うものである。
【００１３】  前記散光筒部Ｂは、図３および図６上欄のような２段階伸縮型とされる場合と図６の下欄のような非伸縮型の単一本型とされる場合とがある。２段階伸縮型は３段階伸縮型とされることもある。
図３および図６の上欄のような散光筒部Ｂは、基部側２６と先側２７の２本立てとされ、共に外部筒がポリカーボネートなどの樹脂円筒体で内層がプリズム樹脂フィルムのような光増幅拡散機能をもつものが貼付けられてものになっている。基部側２６は太い側で先側２７は細い側となっており、基部側２６は、円筒体を基本とし基端部２６ａがコーン状に拡がり、その端縁に図４のような弾性変形可能な突起２６ｂが設けられたものになっている。
【００１４】  基端部２６ａは、段差部１３に嵌め止まってそのとき突起２６ｂは相手のロック溝１５内に弾性変形を介して嵌め込まれるようになっている。基部側２６は右方向に引かれると、突起２６ｂが弾性縮小変形をしてロック溝１５から抜脱することにより機能ボディＡから抜かれるものである。図４の右欄のように、段差部１３近くにはロック溝１５は設けず係合周溝２８を形成して突起２６ｂがそこに脱着するようにしてもよく、この場合、ロック溝１５がないので水密性が良くなる。基部側２６の先端側は細く段付き状になっており、この段付き部には、図５のような内突起２９が設けられており、この内突起２９に先側２７の通孔３０が脱着自在とされるようになっている。先側２７の先端には蓋３１が設けられるとともに投光手段２１からの光を反射させてより増幅反射降下が得られるようにする先反射板３２が設けられている。
【００１５】  散光筒部Ｂは、図６に示すように、基部側２６と先側２７とを伸ばした１本状態にして機能ボディＡの先端内に差し込まれ、図４のように突起２６ｂがロック溝１５に嵌り込むことにより図３のような一体的な誘導棒となり、この場合、電源スイッチ６を入れてライトスイッチ７をＯＮすることで電球である投光手段２１が発光し散光筒部Ｂ内部を増幅的に輝かせることにより夜間警らや工事現場などで誘導棒として使えるものである。
【００１６】  一方、散光筒部Ｂを抜き去れば図１および図２のような機能ボディＡが単独ユニットの状態となり、この状態で電源スイッチ６を入れることによりライトスイッチ７をＯＮすれば電球２１が発光し、警ら時の車両Ｎｏ確認や免許証確認照射などに使用できるものとなる。この電球２１が、散光筒部Ｂ取付時においてそのまま誘導棒としての散光のために利用されるもので、従来のように散光筒部Ｂを光らせるための発光手段と先端の電球である発光手段との双方を設ける必要がないものである。機能ボディＡはそれ単独でも複合機能を発揮するもので、単独で電源スイッチ６が入れられた状態で、前記投光手段２１を使えるほかに、前記のようにメガホン・サイレン機能もできその音量も調整することもできるものである。電池は使い捨てタイプとすることもある。
尚、図６の機能ボディＡの上面側に示すように各種スイッチ７，８，９，１０を把持部１の長手方向に並ぶように配備してもよい。図７に示すように、前記基部側２６は細い側で先側２７は太い側としてもよい。３３は基部側２６と先側２７とを伸縮した各状態を保持する弾性シールである。
【００１７】  図８および図９は、誘導棒の他の実施形態を示し、この誘導棒は、電池を収納可能で電源スイッチ（ライトスイッチ）４０を備えた把持部４１を備えた機能ボディＡとこの機能ボディＡに脱着可能な散光筒部Ｂとからなり、機能ボディＡは、先端と後端とを有する筒体で把手とされるものであり、その先端からは折畳可能な発光信号体４２が伸びているとともに、その発光信号体４２には複数個のＬＥＤでなる投光手段４３…が取り付けられて電源スイッチ４０を介して電池に接続されている。
散光筒部Ｂは、図９に示すように、機能ボディＡの外周に添ってスライドして該ボディＡ外周に被覆重合した縮小状態になる一方、図８に示すように、機能ボディＡの外周に添って先側にスライドして該ボディＡ外周の先端に基部が位置して機能ボディＡから先側に長く伸びた状態になるように構成されている。
４４は筒ロックで機能ボディＡと散光筒部Ｂの外周２個所に突状に設けられていて図８のように散光筒部Ｂが伸びたときの基部を摩擦ロックしまた図９のように散光筒部Ｂが縮んだときの基部を摩擦ロックするものとして設けられている。
【００１８】  機能ボディＡの先端外周からは単一本の散光筒部Ｂがその基部を定着した状態で先方向に長く伸びた形で設けられ、その状態で誘導棒として使えるようにしてある一方、散光筒部Ｂを図９のように機能ボディＡ周りに添ってスライドさせることで縮小したコンパクトな誘導棒として携帯しやすくしてある。散光筒部Ｂはその際折畳自在で縮小されるようになっている。投光手段４３は電球でもよく、また、発光信号体４２によらず図１のような電球型あるいはＬＥＤ型として機能ボディＡ側に設けてもよい。
機能ボディＡは、単一本型であったが、図１０および図１１に示すように、２段階あるいは３段階伸縮可能型にしてもよい。
【００１９】  さらに、図１２および図１３に示すように、把手であり把持部４１の内部に電池をまた外部に電源スイッチ４０を備える機能ボディＡに基部を取り付けられた状態で散光筒部Ｂを伸ばして設け、この散光筒部Ｂを蛇腹（ベローズ）型にし、特にその蛇腹が伸びた状態と縮小した状態とでそれぞれ保形可能な構造のものとしたものであり、内部には折畳可能な発光信号体４２を設け、それに投光手段４３を配備して電源スイッチ４０により点灯および点滅可能にしたものである。この誘導棒も図１３のように短くして携帯しやすくしたもので、さらに短くするため、把持部４１をヒンジ４５を介して２つ折れ型にし、元に戻されたときは例えば、マグネット吸着手段４６で一本化できるようにしてもよい。
尚、発光信号体４２は、図１４に示すように、コイルバネ式にして伸縮可能なものにしてもよい。
【００２０】  図１５および図１６は他の実施形態を示す。この誘導棒は全体が細身で軽量なタイプのもので、上下２枚対向型の把手板５０，５０を備えその後端部間を連結片５１で繋ぐ一方先端には透明円筒筒型のヒンジパイプ５２を装着したものを機能ボディＡとし、この機能ボディＡにはコイン電池５３と電源スイッチ５４とを設けるほかに前記ヒンジパイプ５２内を介してＬＥＤである投光手段５５を内蔵してなり、一方、ヒンジパイプ５２回りには、投光手段５５からの光を受けて流し先端等に発光を促す樹脂製透光バー５７とそれをカバーするとともに前記発光をより外部に散光状として伝える透明軟質樹脂カバー製散光カバー５８とでなる散光筒部Ｂを装備して必要なときは散光筒部Ｂを折り曲げて機能ボディＡの対向隙間間に入れ込むことで短いユニットとすることができて携帯に有利なようにしたものである。
透光バー５７には、図１５の右下欄のように、投光手段５５からの光を全て先端まで通してしまうのではなくその途中数個所において反射散光させるようにするＶ字あるいはＵ字などの切欠き５７ａ…を形成しておけば散光筒部Ｂの長手全体に亘って散光効果が得られるようになる。
【００２１】  図１７は他の実施形態を示し、五角形をした把手受６０にヒンジ６１を介して１対の把手バー６２を開閉自在に取り付け支持し、止着具６３により対組状態にロックできるようにするとともに、把手受６０には電源スイッチ６４とＬＥＤである投光手段６６を装備して散光カバー６７付き透光バー６８の方向に散光可能に構成したもので、特に、１対の把手バー６２を矢印のように開いて散光筒部Ｂの側方に回し固定することで短い誘導棒にして携帯自在にしたものである。
【符号の説明】
【００２２】  Ａ…機能ボディ  Ｂ…散光筒部  １…把持部  ６，４０，５４，６４…電源スイッチ  ７，８，９…スイッチ類  １０…音量調整スライダ  ２１，４３，５５，６６…投光手段  ２６…基部側  ２７…先側。
【図１】
0003211997.tif 000003
【図２】
0003211997.tif 000004
【図３】
0003211997.tif 000005
【図４】
0003211997.tif 000006
【図５】
0003211997.tif 000007
【図６】
0003211997.tif 000008
【図７】
0003211997.tif 000009
【図８】
0003211997.tif 000010
【図９】
0003211997.tif 000011
【図１０】
0003211997.tif 000012
【図１１】
0003211997.tif 000013
【図１２】
0003211997.tif 000014
【図１３】
0003211997.tif 000015
【図１４】
0003211997.tif 000016
【図１５】
0003211997.tif 000017
【図１６】
0003211997.tif 000018
【図１７】
0003211997.tif 000019